【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
前側に形成された装飾面と、当該装飾面よりも後方に向かって光を出射する光源と、を有する演出部材を備えることを特徴とする遊技機。
【請求項２】
前記演出部材は、環状に並ぶようにして複数設けられていることを特徴とする請求項１に記載の遊技機。
【手続補正２】
【補正対象書類名】明細書
【補正対象項目名】０００６
【補正方法】変更
【補正の内容】
【０００６】
上記課題を解決するためになされた請求項１の発明にかかる遊技機は、前側に形成された装飾面と、当該装飾面よりも後方に向かって光を出射する光源と、を有する演出部材を備えることを特徴とする。
【手続補正３】
【補正対象書類名】明細書
【補正対象項目名】０００７
【補正方法】変更
【補正の内容】
【０００７】
請求項２の発明にかかる遊技機は、請求項１に記載の遊技機において、前記演出部材は、環状に並ぶようにして複数設けられていることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明によれば、演出部材に設けられた光源により、演出部材の装飾面よりも後方を照らすことが可能である。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００５０
【補正方法】変更
【補正の内容】
【００５０】
例えば、本実施形態では、第一演出部材３および第二演出部材５はともに、非演出態様と演出態様という二つの態様に変化可能な構成であることを説明したが、これ以外の態様に変化可能な構成であってもよい。第一演出部材３が変化可能な複数の態様のうちの少なくとも一態様にあり、第二演出部材５が変化可能な複数の態様のうちの少なくとも一態様にあるときおいて、第一演出部材３の少なくとも一部と第二演出部材５の少なくとも一部が前後方向に重なる構成であれば、本発明の技術思想は適用可能である。また、第一演出部材３および第二演出部材５の具体的な形状、態様を変化させる機構などは、本発明の趣旨を逸脱しない範囲において適宜変更可能である。
以下、上記実施形態から得られる具体的手段（遊技機）を列挙する。
手段１にかかる遊技機は、表面に装飾面が形成された第一演出部材と、前記第一演出部材の少なくとも一部と前後方向で重なる態様に変化可能な第二演出部材と、を備え、前記第一演出部材における前記第二演出部材と前後方向で重なる範囲には光源が設けられていない一方、前記第二演出部材にはその裏面側に後方に向けて光を照射する光源が設けられており、前記第一演出部材と前記第二演出部材が前後方向で重なった状態にあるときには前記第一演出部材の装飾面側と前記第二演出部材の裏面側との間に空間が形成され、前記第二演出部材に設けられた光源がその裏面側から前記第一演出部材の装飾面に向けて光を照射するように構成されていることを特徴とする。
手段２にかかる遊技機は、手段１に記載の遊技機において、前記第一演出部材の装飾面は、前記第二演出部材に設けられた光源から出射された光を反射可能な材料で形成されていることを特徴とする。
手段３に記載の発明は、手段１または手段２に記載の遊技機において、前記第二演出部材には、裏面側および表面側に光源が実装された基板が設けられ、当該基板の裏面側に実装された光源が前記第一演出部材の装飾面に向けて光を照射し、当該基板の表面側に実装された光源が前記第二演出部材の表面に形成された装飾面に向けて光を照射することで当該装飾面をその裏面側から照らすように構成されていることを特徴とする。
手段４にかかる遊技機は、手段１から手段３のいずれかに記載の遊技機において、前記第一演出部材は、複数の態様に変化可能に構成されるとともに、そのうちの一態様に変化した状態を維持しながら回転可能に構成され、前記第二演出部材は、前記一態様に変化した第一演出部材の少なくとも一部と前後方向で重なる態様に変化したときに、前記第二演出部材に設けられた光源が回転する前記第一演出部材の装飾面に向けて光を照射するように構成されていることを特徴とする。
手段５にかかる遊技機は、手段１から手段４のいずれかに記載の遊技機において、前記第一演出部材は、複数の態様に変化可能に構成されるとともに、そのうちの一態様においてある所定の態様に変化した前記第二演出部材と前後方向で重なるように構成され、当該一態様に変化した第一演出部材の後方には表示装置が位置し、この表示装置が第一演出部材の裏面側に向けて光を照射することで当該第一演出部材をその裏面側から照らすとともに、前記第二演出部材に設けられた光源が前記第一演出部材の装飾面に向けて光を照射するように構成されていることを特徴とする。
手段１にかかる遊技機では、第一演出部材が、第二演出部材と前後方向で重なったとき、この第二演出部材に設けられた光源により照らされる。つまり、当該演出部材の重なりにより遊技領域が暗くなってしまうのを抑制することが可能である。
手段２にかかる遊技機によれば、第二演出部材と前後方向で重なることがある第一演出部材の装飾面は、光源から出射された光を反射可能な材料で形成されているため、第二演出部材と前後方向で重なる範囲において光源が設けられていない第一演出部材に、あたかも光源が設けられているかのような演出効果を発現させることが可能となる。
手段３にかかる遊技機のように、第一演出部材とは異なる演出部材である第二演出部材に第二演出部材の装飾面を照らすための光源が設けられる場合には、当該光源が実装される基板を第一演出部材を照らすための光源が実装される基板として共通化を図ることが可能である。すなわち、第二演出部材を演出部材としてだけでなく第一演出部材の演出効果を向上させる部材として機能させることが可能である。
手段４にかかる遊技機のように、第一演出部材は、複数の演出態様のうちの一態様に変化したときその態様を維持しながら回転することが可能である。このように回転している第一演出部材に対し第二演出部材に設けられた光源から光を照射することで、当該光が第一演出部材の装飾面でランダムに反射されるから、より激しい演出効果を発現させることが可能である。このように第一演出部材が回転する場合、第一演出部材自体に光源を設けることは極めて困難である。第一演出部材に設けられた光源に電力を供給したり、制御信号を送る配線を、回転することがある（位置が変化する）第一演出部材に沿って設けることは困難であるからである。上記請求項４にかかる発明によれば、このように光源を設けることが極めて困難な回転する演出部材であっても、光源を設けた場合に匹敵する演出効果を発現させることが可能である。
手段５にかかる遊技機によれば、第一演出部材が第二演出部材に設けられた光源による前方からの光および表示装置による後方からの光によって照らされた演出を提供することが可能である。